(57)【要約】【課題】  プレゼンテーションなどの持ち時間が定められた発表を行う場合に、経過時間および残り時間の確認、調整を容易にし、自然な流れで発表が行え、好印象を得る。【解決手段】  予め前回のステージの終了時刻が今回のステージの開始時刻となるように複数のステージを時系列的に連続して設定し、最初のステージの開始時刻からの経過時間である第１経過時間を計測する全経過時間計測部と、最後のステージの終了予定時刻までの残時間である第１残時間を計測する全残時間計測部と、各ステージの開始時刻からの経過時間である第２経過時間を計測する経過時間計測部と、各ステージの終了予定時刻までの残時間である第２残時間を計測する残時間計測部と、前記第１経過時間、前記第１残時間、前記第２経過時間および前記第２残時間を含む時間情報を表示する表示部と、各前記計測動作を制御する制御部と、を備える。【選択図】      図２
2006234552.tif 000002
【特許請求の範囲】
【請求項１】
予め前回のステージの終了時刻が今回のステージの開始時刻となるように複数のステージを時系列的に連続して設定し、
最初のステージの開始時刻からの経過時間である第１経過時間を計測する全経過時間計測部と、
最後のステージの終了予定時刻までの残時間である第１残時間を計測する全残時間計測部と、
各ステージの開始時刻からの経過時間である第２経過時間を計測する経過時間計測部と、
各ステージの終了予定時刻までの残時間である第２残時間を計測する残時間計測部と、
前記第１経過時間、前記第１残時間、前記第２経過時間および前記第２残時間を含む時間情報を表示する表示部と、
各前記計測動作を制御する制御部と、
を備えたことを特徴とする時間計測表示装置。
【請求項２】
請求項１記載の時間計測表示装置において、
前記制御部は、前回のステージが開始してから終了するまでの実際に要した時間が、予め設定された時間と差がある場合に、当該差を今回のステージで吸収すべく前記今回のステージの終了予定時間を設定することを特徴とする時間計測表示装置。
【請求項３】
請求項１記載の時間計測表示装置において、
前記制御部は、前回までのステージが終了するまでの実際に要した時間が、予め設定された時間と差がある場合に、当該差を前記表示部に表示させることを特徴とする時間計測表示装置。
【請求項４】
請求項１ないし請求項３のいずれかに記載の時間計測表示装置において、
今回のステージの終了時刻が終了予定時刻よりも所定時間以上遅延した場合に、その旨を報知する報知部を備えたことを特徴とする時間計測表示装置。
【請求項５】
請求項１ないし請求項４のいずれかに記載の時間計測表示装置において、
ユーザが操作を行う操作部を有し、
前記操作部を介して前記ユーザが今回のステージの終了を指示した場合に、前記経過時間計測部および前記残時間計測部は次回のステージの計測を同時に開始することを特徴とする時間計測表示装置。
【請求項６】
請求項５の記載の時間計測表示装置において、
前記操作部を介して前記ユーザが今回のステージの終了を指示した場合に、外部の装置に当該装置を制御するための信号を送信する信号送信部を備えたことを特徴とする時間計測表示装置。
【請求項７】
請求項１ないし請求項６のいずれかに記載の時間計測表示装置において、
ユーザの操作により光学的に所定位置を指示するレーザポインタ装置を備えたことを特徴とする時間計測表示装置。
【請求項８】
予め前回のステージの終了時刻が今回のステージの開始時刻となるように複数のステージを時系列的に連続して設定し、
最初のステージの開始時刻からの経過時間である第１経過時間を計測する全経過時間計測過程と、
最後のステージの終了予定時刻までの残時間である第１残時間を計測する全残時間計測過程と、
各ステージの開始時刻からの経過時間である第２経過時間を計測する経過時間計測過程と、
各ステージの終了予定時刻までの残時間である第２残時間を計測する残時間計測過程と、
前記第１経過時間、前記第１残時間、前記第２経過時間および前記第２残時間を含む時間情報を表示する表示過程と、
各前記計測動作を制御する制御過程と、
を備えたことを特徴とする時間計測表示方法。
【請求項９】
請求項８記載の時間計測表示方法において、
前回のステージが開始してから終了するまでの実際に要した時間が、予め設定された時間と差がある場合に、当該差を今回のステージで吸収すべく前記今回のステージの終了予定時間を設定することを特徴とする時間計測表示方法。
【請求項１０】
請求項８記載の時間計測表示方法において、
前回までのステージが終了するまでの実際に要した時間が、予め設定された時間と差がある場合に、当該差を表示することを特徴とする時間計測表示方法。
【請求項１１】
コンピュータにより表示装置を備えた時間計測表示装置を制御するための制御プログラムにおいて、
予め前回のステージの終了時刻が今回のステージの開始時刻となるように複数のステージを時系列的に連続して設定し、
最初のステージの開始時刻からの経過時間である第１経過時間を計測させ、
最後のステージの終了予定時刻までの残時間である第１残時間を計測させ、
各ステージの開始時刻からの経過時間である第２経過時間を計測させ、
各ステージの終了予定時刻までの残時間である第２残時間を計測させ、
前記第１経過時間、前記第１残時間、前記第２経過時間および前記第２残時間を含む時間情報を表示させ、
各前記計測動作を制御させる、
ことを特徴とする制御プログラム。
【発明の詳細な説明】
【技術分野】
【０００１】
本発明は、時間計測表示装置、時間計測表示方法および制御プログラムに係り、特にプレゼンテーションや学会発表などにおいて時間管理を行うのに好適な時間計測表示装置、時間計測表示方法および制御プログラムに関する。
【背景技術】
【０００２】
従来より、プレゼンテーションや学会発表を行う場合には、プレゼンテータや発表者は、予め与えられた持ち時間内に発表を終わらせるように、発表すべき資料のボリュームなどを見ながら予め時間配分を行うとともに、実際の発表時には、タイマやストップウオッチを用いて時間管理を行っていた。
また、一般的には、所定の頁までは何分必要であるという目安を設けることが多く、経過時間によって時間管理を行っていた（例えば、特許文献１参照）。
【特許文献１】特開昭６３−２２８１８５号公報
【発明の開示】
【発明が解決しようとする課題】
【０００３】
しかしながら、実際には、経過時間だけで発表時間を管理した場合には、時間配分が前後するため、部分的に調整を行う場合には、どの程度の調整を行えばよいのかを正確に把握することは困難であった。
一方、残り時間だけで発表時間を管理した場合には、全体の時間的な把握は容易であるが、スケジュールに沿った発表を行うのは難しくなってしまう。
従来の計時装置においてタイマ機能とストップウオッチ機能とは、別個の機能であり、二つの情報を知りたい場合には、表示モードを切り換えたり、二つの計時装置を用意する必要があった。
また、発表シート１枚ごとに発表に要する時間を設定し、細かなスケジュール管理を行ってプレゼンテーションを行う場合もあるが、この場合には、各発表シート毎に当該シートの発表を開始してからの経過時間および当該シートに対応する残り時間を確認する必要があった。
【０００４】
さらに、最近のプレゼンテーションツールには、シートを切り換えると、時間によってアニメーションが変化する等の便利な機能が備わっているが、発表中にどれ位でアニメーションが変化するのかについては、全体の経過時間から換算して確認する必要があり、必ずしも使い勝手が良いわけではなかった。
さらにまた、時間の確認は、据え置かれた計時装置や、腕に装着した計時装置によって行うが、頻繁にそれらを確認する動作を行うと、視聴者に余りよい印象を与えず、効果的なプレゼンテーションあるいは学会発表とはならないという新たな課題も生じていた。
そこで、本発明の目的は、プレゼンテーションなどの持ち時間がある程度定められ発表を行う場合に、経過時間および残り時間の確認、調整を容易にするとともに、自然な流れで発表が行え、好印象を得ることが可能な時間計測表示装置、時間計測表示方法および制御プログラムを提供することにある。
【課題を解決するための手段】
【０００５】
上記課題を解決するため、時間計測表示装置は、予め前回のステージの終了時刻が今回のステージの開始時刻となるように複数のステージを時系列的に連続して設定し、最初のステージの開始時刻からの経過時間である第１経過時間を計測する全経過時間計測部と、最後のステージの終了予定時刻までの残時間である第１残時間を計測する全残時間計測部と、各ステージの開始時刻からの経過時間である第２経過時間を計測する経過時間計測部と、各ステージの終了予定時刻までの残時間である第２残時間を計測する残時間計測部と、前記第１経過時間、前記第１残時間、前記第２経過時間および前記第２残時間を含む時間情報を表示する表示部と、各前記計測動作を制御する制御部と、を備えたことを特徴としている。
【０００６】
上記構成によれば、制御部の制御下で、全経過時間計測部は、予め前回のステージの終了時刻が今回のステージの開始時刻となるように複数のステージを時系列的に連続して設定し、最初のステージの開始時刻からの経過時間である第１経過時間を計測する。
制御部の制御下で、全残時間計測部は、最後のステージの終了予定時刻までの残時間である第１残時間を計測する。
制御部の制御下で、経過時間計測部は、各ステージの開始時刻からの経過時間である第２経過時間を計測する。
制御部の制御下で、残時間計測部は、各ステージの終了予定時刻までの残時間である第２残時間を計測する。
これらの結果、表示部は、第１経過時間、第１残時間、第２経過時間および第２残時間を含む時間情報を表示する。
【０００７】
この場合において、前記制御部は、前回のステージが開始してから終了するまでの実際に要した時間が、予め設定された時間と差がある場合に、当該差を今回のステージで吸収すべく前記今回のステージの終了予定時間を設定するようにしてもよい。
また、前記制御部は、前回までのステージが終了するまでの実際に要した時間が、予め設定された時間と差がある場合に、当該差を前記表示部に表示させるようにしてもよい。
さらに、今回のステージの終了時刻が終了予定時刻よりも所定時間以上遅延した場合に、その旨を報知する報知部を備えたことを特徴とする時間計測表示装置。
さらにまた、ユーザが操作を行う操作部を有し、前記操作部を介して前記ユーザが今回のステージの終了を指示した場合に、前記経過時間計測部および前記残時間計測部は次回のステージの計測を同時に開始するようにしてもよい。
また、前記操作部を介して前記ユーザが今回のステージの終了を指示した場合に、外部の装置に当該装置を制御するための信号を送信する信号送信部を備えるようにしてもよい。
さらに、ユーザの操作により光学的に所定位置を指示するレーザポインタ装置を備えるようにしてもよい。
【０００８】
また、時間計測表示方法は、予め前回のステージの終了時刻が今回のステージの開始時刻となるように複数のステージを時系列的に連続して設定し、最初のステージの開始時刻からの経過時間である第１経過時間を計測する全経過時間計測過程と、最後のステージの終了予定時刻までの残時間である第１残時間を計測する全残時間計測過程と、各ステージの開始時刻からの経過時間である第２経過時間を計測する経過時間計測過程と、各ステージの終了予定時刻までの残時間である第２残時間を計測する残時間計測過程と、前記第１経過時間、前記第１残時間、前記第２経過時間および前記第２残時間を含む時間情報を表示する表示過程と、各前記計測動作を制御する制御過程と、を備えたことを特徴としている。
この場合において、前回のステージが開始してから終了するまでの実際に要した時間が、予め設定された時間と差がある場合に、当該差を今回のステージで吸収すべく前記今回のステージの終了予定時間を設定するようにしてもよい。
また、前回までのステージが終了するまでの実際に要した時間が、予め設定された時間と差がある場合に、当該差を表示するようにしてもよい。
【０００９】
また、コンピュータにより表示装置を備えた時間計測表示装置を制御するための制御プログラムは、予め前回のステージの終了時刻が今回のステージの開始時刻となるように複数のステージを時系列的に連続して設定し、最初のステージの開始時刻からの経過時間である第１経過時間を計測させ、最後のステージの終了予定時刻までの残時間である第１残時間を計測させ、各ステージの開始時刻からの経過時間である第２経過時間を計測させ、各ステージの終了予定時刻までの残時間である第２残時間を計測させ、前記第１経過時間、前記第１残時間、前記第２経過時間および前記第２残時間を含む時間情報を表示させ、各前記計測動作を制御させる、ことを特徴としている。
【００１０】
本発明によれば、プレゼンテーションや学会発表を行う場合に、経過時間だけでなく、残時間を同時に表示することにより、どれ位のペースで発表が行えるのかを容易に把握でき、発表中の時間管理を容易に行うことができる。
【発明を実施するための最良の形態】
【００１１】
次に図面を参照して本発明の好適な実施の形態について説明する。
図１は、実施形態の時間計測表示装置の概要構成ブロック図である。
時間計測表示装置１は、大別すると、装置全体を制御する制御部２と、基準発振信号を生成する発振回路５と、基準発振信号に基づいて計時動作を行う計時部６と、各種情報を表示させるための制御を行う表示部７と、表示部７の制御下で各種情報を表示する液晶表示パネル８と、外部の装置に各種信号を送信する信号送信部９と、レーザポインタとしても機能する指示部１０と、各種操作を行うための操作部１１と、予め設定されたタイマ時間が経過した場合にその旨を報知する報知部１２と、報知部１２の制御下で振動し、操作者にタイマ時間が経過した旨を報知する振動アラーム１３と、を備えている。
制御部２は、制御部２全体を制御するＣＰＵ１４と、各種制御プログラムが予め格納されたＲＯＭ３と、ワーキングエリアとしても用いられ各種データ、制御プログラムが展開されるＲＡＭ４と、を備えている。
【００１２】
図２は、時間計測表示装置の外観斜視図である。
時間計測表示装置１は、ハンディタイプの装置であり、発表者であるユーザが片手に持って操作できるような大きさに形成されている。
時間計測表示装置１の操作表示面には、現在の動作モードを表示する動作モード表示部２２と、発表開始から現在までの経過時間が表示される経過時間表示部２３と、持ち時間（発表終了予定時間）の残り時間が表示される残り時間表示部２４と、持ち時間を複数の時間帯に分割した場合の時間帯（ステージあるいはシート）を特定するための番号を表示するまでのステージ番号表示部２５と、ステージ番号表示部２５で特定された時間帯の最初からの経過時間を表示するステージ経過時間表示部２６と、ステージ番号表示部２５で特定された時間帯の残り時間を表示する残り時間表示部２７と、操作スイッチ８Ａ〜８Ｆを備えている。
【００１３】
操作スイッチ８Ａは、動作モードを選択するためのスイッチであり、発表時の計測を行う計測モードと、タイマ値やメモリ番号（ステージ番号あるいはシート番号に相当）を設定するための設定モードとが存在する。
操作スイッチ８Ｃは、計測モードにおいては、計測開始前には、計測を開始させるための操作スイッチとして機能し、計測開始後においては、計測の一時中断／再開を行わせるための操作スイッチとして機能する。
操作スイッチ８Ｄは、計測モードにおいては、計測をリセットするための操作スイッチとして機能し、操作スイッチ８Ｃにおいて、計測が一時中断された状態で操作されることにより計測のリセットがなされる。
操作スイッチ８Ｅは、例えば、プレゼンテーションを行っている外部のパーソナルコンピュータや、スライドプロジェクタ等を制御するための制御信号を送信するための操作スイッチとして機能する。この操作スイッチ８Ｅの操作により、ステージあるいはシートが次のものに移行したこととなり、新たなステージあるいはシートにおける経過時間および残り時間がカウントされることとなる。
操作スイッチ８Ｆは、レーザポインタの発光を行わせるためのスイッチである。
ここで、基本的な動作について説明する。
【００１４】
図３は基本動作処理フローチャートである。
操作スイッチ８Ａが操作されて計測モードとなり（ステップＳ１）、操作スイッチ８Ｃが操作されて計測が開始すると（ステップＳ２）、ＣＰＵ１４は、操作スイッチの操作があったか否かを判別する（ステップＳ３）。
ステップＳ３の判別において、再び操作スイッチ８Ｃが操作された場合には、計測モードの一時中止の指示であるので、計測を停止し（ステップＳ５）、ＣＰＵ１４は、さらに操作スイッチ８Ｃあるいは操作スイッチ８Ｄが操作されたか否かを判別する（ステップＳ６）。
ステップＳ６の判別において、操作スイッチ８Ｃが操作された場合には、処理を再びステップＳ２に移行し、再計測を開始する。
【００１５】
ステップＳ６の判別において、操作スイッチ８Ｄが操作された場合には、計測をリセットし、処理を終了する（ステップＳ７）。
ステップＳ３の判別において、操作スイッチ８Ｅが操作された場合には、あるステージの発表が終了したことであるので、次のステージのパーソナルコンピュータにより表示しているシートに切り換えたり、次のスライドを投影すべく、外部に信号を送信する。これとともに、ステージカウンタｎの値に１加算して次のステージにおける計測を開始すべく処理を再びステップＳ３に移行する。
またステップＳ３の判別において、操作スイッチ８Ｆが操作された場合には、レーザポインタを動作させるべくオンさせ（ステップＳ１１）、計測を継続すべく処理を再び、ステップＳ３に移行する。
またステップＳ３の判別において、操作スイッチ８Ａ、８Ｂ、８Ｄが操作された場合には、これらの操作スイッチは意味を持たないので、無視し（ステップＳ１３）、計測を継続すべく処理を再び、ステップＳ３に移行する。
【００１６】
図４は、設定処理のフローチャートである。
操作スイッチ８Ａが操作されると設定モードとなる（ステップＳ２１）。
設定モードにおいて、操作スイッチ８Ｄが操作されると、全ステージの残り時間を設定するタイマ設定モードとなる（ステップＳ２２）。
この状態で、例えば操作スイッチ８Ａを操作すると、１秒単位で設定値が減少し、操作スイッチ８Ｂを操作すると１秒単位で設定値が増加する。尚、操作スイッチ８Ａ、８Ｂは長押しすることにより例えば１０秒単位で設定値が増加あるいは減少するようにしてもよい。
設定したタイマの時間を確定する場合には、再び操作スイッチ８Ｄを操作すればよい。
この結果、ステージ設定モードとなる。
ステージ設定モードにおいては、例えば操作スイッチ８Ａを操作すると、１単位でステージ番号の設定値が減少し、操作スイッチ８Ｂを操作すると１単位でステージ番号の設定値が増加する（ステップＳ２３）。
【００１７】
設定したステージ番号を確定する場合には、再び操作スイッチ８Ｄを操作すればよい。
この結果、ステージ番号は確定し、当該ステージの残り時間を設定するステージタイマ設定モードとなる（ステップＳ２４）。
この状態で、例えば操作スイッチ８Ａを操作すると、１秒単位で設定値が減少し、操作スイッチ８Ｂを操作すると１秒単位で設定値が増加する。尚、操作スイッチ８Ａ、８Ｂは長押しすることにより例えば１０秒単位で設定値が増加あるいは減少するようにしてもよい。
設定したタイマの時間を確定する場合には、再び操作スイッチ８Ｄを操作すればよい。
この結果、ステージタイマ設定モードを抜ける。
そしてＣＰＵ１４は、操作スイッチ８Ｃあるいは操作スイッチ８Ｄが操作されたか否かを判別する（ステップＳ２５）。
ステップＳ２５の判別において、操作スイッチ８Ｃが操作された場合には、設定モードを終了し、計測モードに移行する（ステップＳ２６）。
ステップＳ２５の判別において、操作スイッチ８Ｄが操作された場合には、次のステージの設定を行うべく処理を再びステップＳ２３に移行する。
【００１８】
図５は具体的な表示例の説明図（その１）である。図６は具体的な表示例の説明図（その２）である。
次に具体的な使用例として、持ち時間が５分、シート番号＝１の発表に１分、シート番号＝２の発表に３０秒、シート番号＝３の発表に１分３０秒、シート番号４の発表に１分と設定した場合について説明する。
操作スイッチ８Ａの操作により計測モードに移行し、発表の開始時に操作スイッチ８Ｃを操作することにより、計測が開始する。
このときの表示状態は、図５に示すように、動作モード表示部２２の表示は「計測モード」、経過時間表示部２３の表示が「０（分）１（秒）」、残り時間表示部２４の表示が「４（分）５９（秒）」、ステージ番号表示部２５の表示が「Nｏ１」、ステージ経過時間表示部２６の表示が「０（分）１（秒）」、残り時間表示部２７の表示が「０（分）５９（秒）」となっている。
その後、全体における経過時間が５９秒となった時点で操作スイッチ８Ｅを操作すると、制御部２のＣＰＵ１４は、信号送信部９を制御して、外部のパーソナルコンピュータあるいはスライドプロジェクタなどに現在のシートの発表が完了した旨の信号を送信させる。この信号の送信は、有線、無線（赤外線、電波など）のいずれにおいても送信可能である。
【００１９】
これにより、パーソナルコンピュータは次のシートを表示し、スライドプロジェクタは次のスライドの投影を開始する。
上記操作に伴って、表示状態は、図６に示すように、動作モード表示部２２の表示は「計測モード」、経過時間表示部２３の表示が「０（分）５９（秒）」、残り時間表示部２４の表示が「４（分）１（秒）」、ステージ番号表示部２５の表示が「Nｏ２」、ステージ経過時間表示部２６の表示が「０（分）０（秒）」、残り時間表示部２７の表示が「０（分）３０（秒）」となる。
なお、全体における経過時間が１分１秒となってしまうと、シート番号＝１の発表予定時間が経過してしまったこととなるので、制御部２のＣＰＵ１４は報知部１２を制御して振動アラーム１３を振動させ、プレゼンテータであるユーザにその旨を通知することとなる。
【００２０】
［第１実施形態］
図７は、第１実施形態の動作フローチャートである。
操作スイッチ８Ａが操作されて計測モードとなり、操作スイッチ８Ｃが操作されて計測が開始すると（ステップＳ３１）、全体の経過時間を計測するストップウオッチ（ＳＴＷ）がカウントアップを開始するとともに、全体の残り時間を計測するタイマ（ＴＩＭ）がカウントダウンを開始する（ステップＳ３２）。
続いてＣＰＵ１４は、ステージカウンタｎ＝１とする（ステップＳ３３）。
さらにＣＰＵ１４は、ステージカウンタｎの値に対応するステージの経過時間を計測するストップウオッチ（ＳＴＷｎ）のカウントアップを開始するとともに、ステージカウンタｎの値に対応するステージの残り時間を計測するタイマ（ＴＩＭｎ）がカウントダウンを開始する（ステップＳ３４）。
【００２１】
次にＣＰＵ１４は、操作スイッチが操作されたか否かを判別する（ステップＳ３５）。
ステップＳ３５の判別において、操作スイッチの操作がなされなかった場合には（ステップＳ３５；Ｎｏ）、ステージカウンタｎの値に対応するステージの残り時間を計測するタイマ（ＴＩＭｎ）のカウント値が０になったか否かを判別する（ステップＳ３６）。
ステップＳ３６の判別において、ステージカウンタｎの値に対応するステージの残り時間を計測するタイマ（ＴＩＭｎ）のカウント値が０になっていない場合には（ステップＳ３６；Ｎｏ）、処理を再びステップＳ３４に移行する。
ステップＳ３６の判別において、ステージカウンタｎの値に対応するステージの残り時間を計測するタイマ（ＴＩＭｎ）のカウント値が０になっている場合には（ステップＳ３６；Ｙｅｓ）、予定時間が既に経過したこととなるので、その旨をユーザに通知すべく、ステージカウンタｎの値に対応するステージの経過時間を計測するストップウオッチ（ＳＴＷｎ）のカウントアップを継続しつつ、表示を点滅表示とする（ステップＳ３７）。
【００２２】
続いて、ステージカウンタｎの値に対応するステージの経過時間を計測するストップウオッチ（ＳＴＷｎ）のカウント値から、ステージカウンタｎの値に対応するステージの残り時間を計測するタイマ（ＴＩＭｎ）の初期値を差し引いた値が、所定時間（実施形態では６秒）未満であるか否かを判別する（ステップＳ３８）。ここで所定時間は、適宜定めることができるものであるが、予定時間を経過してからどれ位の時間、振動アラーム１３を振動させるかに基づいて設定する。
ステップＳ３８の判別において、ステージカウンタｎの値に対応するステージの経過時間を計測するストップウオッチ（ＳＴＷｎ）のカウント値から、ステージカウンタｎの値に対応するステージの残り時間を計測するタイマ（ＴＩＭｎ）の初期値を差し引いた値が、所定時間未満、すなわち、予定時間を経過後、振動アラームを振動期間が経過していない場合には（ステップＳ３８；Ｙｅｓ）、ユーザに時間が経過している旨を知らせるべく報知部１２を制御して振動アラーム１３を振動させてアラーム報知を行いつつ（ステップＳ３９）、処理をステップＳ３４に移行する。
ステップＳ３８の判別において、ステージカウンタｎの値に対応するストップウオッチ（ＳＴＷｎ）のカウント値から、ステージカウンタｎの値に対応するタイマ（ＴＩＭｎ）の初期値を差し引いた値が、所定時間より大きい場合、すなわち、予定時間の経過後、振動アラームの振動期間が終了した場合には（ステップＳ３８；Ｎｏ）、振動アラーム１３を振動させず（振動アラーム１３を停止状態で）、処理を再びステップＳ３４に移行する。
【００２３】
ステップＳ３５の判別において、操作スイッチの操作がなされた場合には（ステップＳ３５；Ｙｅｓ）、操作された操作スイッチが操作スイッチ８Ｅであるか否かを判別する（ステップＳ４０）。
ステップＳ４０の判別において、操作された操作スイッチが操作スイッチ８Ｅである場合には、ステージカウンタｎの値に対応するステージの発表が完了したこととなるので、ＣＰＵ１４は、信号送信部９を制御して、外部のパーソナルコンピュータあるいはスライドプロジェクタなどに現在のシートの発表が完了した旨の信号を送信させる（ステップＳ４１）。
そして、ＣＰＵ１４は、ステージカウンタｎの値に１を加算する（ステップＳ４２）。
さらにＣＰＵ１４は、ステージカウンタｎの値に対応するステージのストップウオッチ（ＳＴＷｎ）をリセットし、ステージカウンタｎの値に対応するステージのタイマ（ＴＩＭｎ）の初期値を読み出し（ステップＳ４３）、処理を再びステップＳ３４に移行する。
ステップＳ４０の判別において、操作された操作スイッチが操作スイッチ８Ｅではない場合には（ステップＳ４０；Ｎｏ）、操作された操作スイッチが操作スイッチ８Ｃであるか否かを判別する（ステップＳ４４）。
ステップＳ４４の判別において、操作された操作スイッチが操作スイッチ８Ｃである場合には、計測を一時的に停止する指示であるので、計測を一時停止する（ステップＳ４５）。
【００２４】
その後、ＣＰＵ１４は、操作スイッチ８Ｃもしくは操作スイッチ８Ｄが操作されたか否かを判別する（ステップＳ４６）。
ステップＳ４６の判別において、操作スイッチ８Ｃが操作された場合には、計測再開であるので、ＣＰＵ１４は、処理をステップＳ３４に移行して、計測を継続する。
ステップＳ４６の判別において、操作スイッチ８Ｄが操作された場合には、計測をリセットし処理を終了する（ステップＳ４７）。
ステップＳ４４の判別において、操作された操作スイッチが操作スイッチ８Ｃではない場合には、操作された操作スイッチが操作スイッチ８Ｆであるか否かを判別する（ステップＳ４８）。
ステップＳ４８の判別において、操作された操作スイッチが操作スイッチ８Ｆである場合には、レーザポインタの動作指示であるので、レーザポインタを動作させ、処理を再びステップＳ３４に移行する。
ステップＳ４８の判別において、操作された操作スイッチが、操作スイッチ８Ｆではない場合、すなわち、操作スイッチ８Ａ、８Ｂ、８Ｄである場合には、操作を無効として、処理をステップＳ３４に移行して処理を継続する。
【００２５】
［第２実施形態］
図８は、第２実施形態の動作フローチャートである。
操作スイッチ８Ａが操作されて計測モードとなり、操作スイッチ８Ｃが操作されて計測が開始すると（ステップＳ５１）、全体の経過時間を計測するストップウオッチ（ＳＴＷ）がカウントアップを開始するとともに、全体の残り時間を計測するタイマ（ＴＩＭ）がカウントダウンを開始する（ステップＳ５２）。
続いてＣＰＵ１４は、ステージカウンタｎ＝１とする（ステップＳ５３）。
さらにＣＰＵ１４は、ステージカウンタｎの値に対応するステージの経過時間を計測するストップウオッチ（ＳＴＷｎ）のカウントアップを開始するとともに、ステージカウンタｎの値に対応するステージの残り時間を計測するタイマ（ＴＩＭｎ）がカウントダウンを開始する（ステップＳ５４）。
次にＣＰＵ１４は、操作スイッチ８Ｅが操作されたか否かを判別する（ステップＳ８５）。
ステップＳ８５の判別において、操作スイッチ８Ｅの操作がなされなかった場合には（ステップＳ５５；Ｎｏ）、ステージカウンタｎの値に対応するステージの残り時間を計測するタイマ（ＴＩＭｎ）のカウント値が０になったか否かを判別する（ステップＳ５６）。
【００２６】
ステップＳ５６の判別において、ステージカウンタｎの値に対応するステージの残り時間を計測するタイマ（ＴＩＭｎ）のカウント値が０になっていない場合には（ステップＳ５６；Ｎｏ）、処理を再びステップＳ５４に移行する。
ステップＳ５６の判別において、ステージカウンタｎの値に対応するステージの残り時間を計測するタイマ（ＴＩＭｎ）のカウント値が０になっている場合には（ステップＳ５６；Ｙｅｓ）、予定時間が既に経過したこととなるので、その旨をユーザに通知すべく、ステージカウンタｎの値に対応するステージの経過時間を計測するストップウオッチ（ＳＴＷｎ）のカウントアップを継続しつつ、表示を点滅表示とする（ステップＳ５７）。
続いて、ステージカウンタｎの値に対応するステージの経過時間を計測するストップウオッチ（ＳＴＷｎ）のカウント値から、ステージカウンタｎの値に対応するステージの残り時間を計測するタイマ（ＴＩＭｎ）の初期値を差し引いた値が、所定時間（実施形態では６秒）未満であるか否かを判別する（ステップＳ５８）。ここで所定時間は、適宜定めることができるものであるが、予定時間を経過してからどれ位の時間、振動アラーム１３を振動させるかに基づいて設定する。
【００２７】
ステップＳ５８の判別において、ステージカウンタｎの値に対応するステージの経過時間を計測するストップウオッチ（ＳＴＷｎ）のカウント値から、ステージカウンタｎの値に対応するステージの残り時間を計測するタイマ（ＴＩＭｎ）の初期値を差し引いた値が、所定時間未満、すなわち、予定時間を経過後、振動アラームを振動期間が経過していない場合には（ステップＳ５８；Ｙｅｓ）、ユーザに時間が経過している旨を知らせるべく報知部１２を制御して振動アラーム１３を振動させてアラーム報知を行いつつ（ステップＳ５９）、処理をステップＳ５４に移行する。
ステップＳ５８の判別において、ステージカウンタｎの値に対応するストップウオッチ（ＳＴＷｎ）のカウント値から、ステージカウンタｎの値に対応するタイマ（ＴＩＭｎ）の初期値を差し引いた値が、所定時間より大きい場合、すなわち、予定時間の経過後、振動アラームの振動期間が終了した場合には（ステップＳ５８；Ｎｏ）、振動アラーム１３を振動させず（振動アラーム１３を停止状態で）、処理を再びステップＳ５４に移行する。
ステップＳ５５の判別において、操作された操作スイッチが操作スイッチ８Ｅである場合には、ステージカウンタｎの値に対応するステージの発表が完了したこととなるので、ＣＰＵ１４は、信号送信部９を制御して、外部のパーソナルコンピュータあるいはスライドプロジェクタなどに現在のシートの発表が完了した旨の信号を送信させる（ステップＳ６０）。
【００２８】
そして、ＣＰＵ１４は、ステージカウンタｎの値に対応するステージの経過時間を計測するストップウオッチ（ＳＴＷｎ）のカウント値から、ステージカウンタｎの値に対応するステージの残り時間を計測するタイマ（ＴＩＭｎ）の初期値を差し引いた値を差分値Ｔとする（ステップＳ６１）。この差分値Ｔは、ステージカウンタｎの値に対応するステージにおいて、予定時間との差の時間である。従って、差分値Ｔが負の値を有している場合には、ステージカウンタｎの値に対応するステージにおいて時間が予定よりも短く時間が余っていることを示し、差分値Ｔが正の値を有している場合には、ステージカウンタｎの値に対応するステージにおいて時間が予定よりも長く、時間が不足していることを示している。
続いてＣＰＵ１４は、ステージカウンタｎの値に１を加算する（ステップＳ６２）。
そして、ＣＰＵ１４は、ステージカウンタｎのステージで時間が余った場合には、次のステージ、すなわちステージカウンタｎ＝ｎ＋１のステージにおいて、ストップウオッチ（ＳＴＷｎ）をより低い値からスタートさせ、タイマ（ＴＩＭｎ）の初期値をより長い時間とする。逆にステージカウンタｎのステージで時間が不足した場合には、次のステージ、すなわちステージカウンタｎ＝ｎ＋１のステージにおいて、ストップウオッチ（ＳＴＷｎ）をより高い値からスタートさせ、タイマ（ＴＩＭｎ）の初期値をより短い時間とする（ステップＳ６３）。
【００２９】
図９は、第２実施形態の具体的な表示例の説明図（その１）である。図１０は、第２実施形態の具体的な表示例の説明図（その２）である。図１１は、第２実施形態の具体的な表示例の説明図（その３）である。
具体的な使用例として、持ち時間が５分、シート番号＝１の発表に１分、シート番号＝２の発表に３０秒、シート番号＝３の発表に１分３０秒、シート番号４の発表に１分と設定した場合について説明する。
操作スイッチ８Ａの操作により計測モードに移行し、発表の開始時に操作スイッチ８Ｃを操作することにより、計測が開始する。
このときの表示状態は、図９に示すように、動作モード表示部２２の表示は「計測モード」、経過時間表示部２３の表示が「０（分）１（秒）」、残り時間表示部２４の表示が「４（分）５９（秒）」、ステージ番号表示部２５の表示が「Nｏ１」、ステージ経過時間表示部２６の表示が「０（分）１（秒）」、残り時間表示部２７の表示が「０（分）５９（秒）」となっている。
【００３０】
その後、全体における経過時間が１分０２秒となった時点、すなわち、予定時刻を２秒経過した時点で操作スイッチ８Ｅを操作すると、制御部２のＣＰＵ１４は、信号送信部９を制御して、外部のパーソナルコンピュータあるいはスライドプロジェクタなどに現在のシートの発表が完了した旨の信号を送信させる。この信号の送信は、有線、無線（赤外線、電波など）のいずれにおいても送信可能である。
これにより、パーソナルコンピュータは次のシートを表示し、スライドプロジェクタは次のスライドの投影を開始する。
【００３１】
上記操作に伴って、表示状態は、図１０に示すように、動作モード表示部２２の表示は「計測モード」、経過時間表示部２３の表示が「１（分）２（秒）」、残り時間表示部２４の表示が「３（分）５８（秒）」、ステージ番号表示部２５の表示が「Nｏ２」、ステージ経過時間表示部２６の表示が「０（分）２（秒）」、残り時間表示部２７の表示が「０（分）２８（秒）」となり、ユーザは次のステージを早めに切り上げる努力をする必要があることが理解できる。
また、全体における経過時間が０分５８秒となった時点、すなわち、予定時刻よりも２秒早い時点で操作スイッチ８Ｅを操作すると、制御部２のＣＰＵ１４は、信号送信部９を制御して、外部のパーソナルコンピュータあるいはスライドプロジェクタなどに現在のシートの発表が完了した旨の信号を送信させる。この信号の送信は、有線、無線（赤外線、電波など）のいずれにおいても送信可能である。
【００３２】
これにより、パーソナルコンピュータは次のシートを表示し、スライドプロジェクタは次のスライドの投影を開始する。
上記操作に伴って、表示状態は、図１１に示すように、動作モード表示部２２の表示は「計測モード」、経過時間表示部２３の表示が「０（分）５８（秒）」、残り時間表示部２４の表示が「４（分）２（秒）」、ステージ番号表示部２５の表示が「Nｏ２」、ステージ経過時間表示部２６の表示が「−０（分）２（秒）」、残り時間表示部２７の表示が「０（分）３２（秒）」となり、ユーザは次のステージで多少余裕があるということが理解できる。
以上の説明のように、本第２実施形態によれば、あるステージで時間を超過してしまった場合でも残りのステージでカバーするように対応することができ、トータルの時間配分を守ることが可能となる。
【００３３】
［第３実施形態］
図１２は、第３実施形態の動作フローチャートである。
操作スイッチ８Ａが操作されて計測モードとなり、操作スイッチ８Ｃが操作されて計測が開始すると（ステップＳ７１）、全体の経過時間を計測するストップウオッチ（ＳＴＷ）がカウントアップを開始するとともに、全体の残り時間を計測するタイマ（ＴＩＭ）がカウントダウンを開始する（ステップＳ７２）。
続いてＣＰＵ１４は、ステージカウンタｎ＝１とするとともに、終了した全てのステージの積算過不足時間を表す終了ステージ積算過不足時間ＯＴＩＭＥを初期値の０とする（ステップＳ７３）。
さらにＣＰＵ１４は、ステージカウンタｎの値に対応するステージの経過時間を計測するストップウオッチ（ＳＴＷｎ）のカウントアップを開始するとともに、ステージカウンタｎの値に対応するステージの残り時間を計測するタイマ（ＴＩＭｎ）がカウントダウンを開始する（ステップＳ７４）。
【００３４】
次にＣＰＵ１４は、操作スイッチ８Ｅが操作されたか否かを判別する（ステップＳ８５）。
ステップＳ８５の判別において、操作スイッチ８Ｅの操作がなされなかった場合には（ステップＳ７５；Ｎｏ）、ステージカウンタｎの値に対応するステージの残り時間を計測するタイマ（ＴＩＭｎ）のカウント値が０になったか否かを判別する（ステップＳ７６）。
ステップＳ７６の判別において、ステージカウンタｎの値に対応するステージの残り時間を計測するタイマ（ＴＩＭｎ）のカウント値が０になっていない場合には（ステップＳ７６；Ｎｏ）、処理を再びステップＳ７４に移行する。
【００３５】
ステップＳ７６の判別において、ステージカウンタｎの値に対応するステージの残り時間を計測するタイマ（ＴＩＭｎ）のカウント値が０になっている場合には（ステップＳ７６；Ｙｅｓ）、予定時間が既に経過したこととなるので、その旨をユーザに通知すべく、ステージカウンタｎの値に対応するステージの経過時間を計測するストップウオッチ（ＳＴＷｎ）のカウントアップを継続しつつ、表示を点滅表示とする（ステップＳ７７）。
続いて、ステージカウンタｎの値に対応するステージの経過時間を計測するストップウオッチ（ＳＴＷｎ）のカウント値から、ステージカウンタｎの値に対応するステージの残り時間を計測するタイマ（ＴＩＭｎ）の初期値を差し引いた値が、所定時間（実施形態では６秒）未満であるか否かを判別する（ステップＳ７８）。ここで所定時間は、適宜定めることができるものであるが、予定時間を経過してから、どれだけの時間、振動アラーム１３を振動させるかに基づいて設定する。
【００３６】
ステップＳ７８の判別において、ステージカウンタｎの値に対応するステージの経過時間を計測するストップウオッチ（ＳＴＷｎ）のカウント値から、ステージカウンタｎの値に対応するステージの残り時間を計測するタイマ（ＴＩＭｎ）の初期値を差し引いた値が、所定時間未満、すなわち、予定時間を経過後、振動アラームを振動期間が経過していない場合には（ステップＳ７８；Ｙｅｓ）、ユーザに時間が経過している旨を知らせるべく報知部１２を制御して振動アラーム１３を振動させてアラーム報知を行いつつ（ステップＳ７９）、処理をステップＳ７４に移行する。
ステップＳ７８の判別において、ステージカウンタｎの値に対応するストップウオッチ（ＳＴＷｎ）のカウント値から、ステージカウンタｎの値に対応するタイマ（ＴＩＭｎ）の初期値を差し引いた値が、所定時間より大きい場合、すなわち、予定時間の経過後、振動アラームの振動期間が終了した場合には（ステップＳ７８；Ｎｏ）、振動アラーム１３を振動させず（振動アラーム１３を停止状態で）、処理を再びステップＳ７４に移行する。
ステップＳ７５の判別において、操作された操作スイッチが操作スイッチ８Ｅである場合には、ステージカウンタｎの値に対応するステージの発表が完了したこととなるので、ＣＰＵ１４は、信号送信部９を制御して、外部のパーソナルコンピュータあるいはスライドプロジェクタなどに現在のシートの発表が完了した旨の信号を送信させる（ステップＳ８０）。
【００３７】
そして、ＣＰＵ１４は、ステージカウンタｎの値に対応するステージの経過時間を計測するストップウオッチ（ＳＴＷｎ）のカウント値から、ステージカウンタｎの値に対応するステージの残り時間を計測するタイマ（ＴＩＭｎ）の初期値を差し引いた値を差分値Ｔとする（ステップＳ８１）。この差分値Ｔは、ステージカウンタｎの値に対応するステージにおいて、予定時間との差の時間である。従って、差分値Ｔが負の値を有している場合には、ステージカウンタｎの値に対応するステージにおいて時間が予定よりも短く時間が余っていることを示し、差分値Ｔが正の値を有している場合には、ステージカウンタｎの値に対応するステージにおいて時間が予定よりも長く、時間が不足していることを示している。
続いてＣＰＵ１４は、ステージカウンタｎの値に１を加算するとともに、終了ステージ積算過不足時間ＯＴＩＭＥに差分値Ｔを加算して新たな終了ステージ積算各不足時間ＯＴＩＭＥとする（ステップＳ８２）。
そして、ＣＰＵ１４は、新たな終了ステージ積算各不足時間ＯＴＩＭＥを表示して（ステップＳ８３）、再び処理をステップＳ７４に移行する。
【００３８】
［４］実施形態の効果
上記各実施形態によれば、プレゼンテーションあるいは学会発表などを行う場合に、経過時間ばかりでなく、全体およびステージ毎の残り時間を同時に表示しているので、あとどれ位のペースで発表を行えば良いのかを、容易に把握でき、発表中の時間管理が容易となる。
また、これらの時間情報の表示をプレゼンテーションあるいは学会発表のシート切り換えるための外部信号（制御信号）を送信する機器と組み合わせているので、プレゼンテーションあるいは学会発表の進行の詳細な変化に対応させて発表が行える。
さらには、レーザポインタと組み合わせることにより、シートの切り換えや、資料を指し示す動作でさりげなく時間を確認することができ、視線の変化が少なく、視聴者から見て非常に印象の良いプレゼンテーションあるいは学会発表が行える。
【図面の簡単な説明】
【００３９】
【図１】実施形態の時間計測表示装置の概要構成ブロック図である。
【図２】時間計測表示装置の外観斜視図である。
【図３】基本動作処理フローチャートである。
【図４】設定処理のフローチャートである。
【図５】具体的な表示例の説明図（その１）である。
【図６】具体的な表示例の説明図（その２）である。
【図７】第１実施形態の動作フローチャートである。
【図８】第２実施形態の動作フローチャートである。
【図９】第２実施形態の具体的な表示例の説明図（その１）である。
【図１０】第２実施形態の具体的な表示例の説明図（その２）である。
【図１１】第２実施形態の具体的な表示例の説明図（その３）である。
【図１２】第３実施形態の動作フローチャートである。
【符号の説明】
【００４０】
１…時間計測表示装置、２…制御部、３…ＲＯＭ、４…ＲＡＭ、５…発振回路、６…計時部、７…表示部、８…液晶表示パネル、９…信号送信部、１０…指示部、１１…操作部、１２…報知部、１３…振動アラーム、１４…ＣＰＵ、２２…動作モード表示部、２３…経過時間表示部、２４…残り時間表示部、２５…ステージ番号表示部、２６…ステージ経過時間表示部、２７…残り時間表示部、８Ａ〜８Ｆ…操作スイッチ。
【図１】
2006234552.tif 000003
【図２】
2006234552.tif 000004
【図３】
2006234552.tif 000005
【図４】
2006234552.tif 000006
【図５】
2006234552.tif 000007
【図６】
2006234552.tif 000008
【図７】
2006234552.tif 000009
【図８】
2006234552.tif 000010
【図９】
2006234552.tif 000011
【図１０】
2006234552.tif 000012
【図１１】
2006234552.tif 000013
【図１２】
2006234552.tif 000014